(57)【特許請求の範囲】
【請求項１】
一部区間を除いた全体区間にわたって縁が相互接合された第１シート（１０）、第２シート（２０）を含んで構成されて、接合されない前記一部区間が主出入り部（３０）をなす一方、前記主出入り部（３０）の縁がズボン、スカート等の下衣ポケットの開口部の内側面に接合されることにより、全体として着用者の手を入れたり、各種物品を収納することができる形態の下衣ポケットをなす下衣ポケット用袋において、
前記第１シート（１０）及び第２シート（２０）の間に介在して前記第２シート（２０）と縁の全区間が相互接合され、接合から形成された内部空間への出入りが可能なように両面を貫通する貫通孔形態の内側出入り部（１５１）が少なくとも二つ以上備えられた中間シート（１５）をさらに含んで構成され、
前記二つ以上の内側出入り部（１５１）をそれぞれ一つずつ含む領域を分割する構造に前記第２シート（２０）と前記中間シート（１５）を分割、接合する内部ポケット分割線（２００）を備え、
前記第１シート（１０）は、前記主出入り部（３０）を形成するために一部区間を除いた縁が前記中間シート（１５）に接合されたことを特徴とする、複数の内部ポケットを備えた下衣ポケット用袋。
【請求項２】
前記中間シート（１５）の前記内側出入り部（１５１）は、前記中間シート（１５）面上の一地点から縁まで延長されたスロット形態に形成されたことを特徴とする、請求項１に記載の複数の内部ポケットを備えた下衣ポケット用袋。
【請求項３】
前記中間シート（１５）及び前記第２シート（２０）は相互同一の形態のシートからなる一方、前記第１シート（１０）は前記中間シート（１５）及び前記第２シート（２０）と同一の形態のシートで縁の一部分が切り取られた形態を有し、前記第２シート（２０）と前記中間シート（１５）、前記中間シート（１５）と前記第１シート（１０）の縁を相互接合する接合線は、形態が一致するように前記第１シート（１０）、前記中間シート（１５）及び前記第２シート（２０）が重なった状態で前記中間シート（１５）及び前記第２シート（２０）の外郭の縁の全区間を接合する縫付け線からなることを特徴とする、請求項１または請求項２に記載の複数の内部ポケットを備えた下衣ポケット用袋。
【請求項４】
同一の形態の第２シート（２０）、中間シート（１５）、及び、前記第２シート（２０）、前記中間シート（１５）と同一の形態から縁の一部分が切り取られた形態の第１シート（１０）を準備するシート準備段階；
前記中間シート（１５）に両面を貫通する少なくとも二つ以上の貫通孔形態の内側出入り部（１５１）を形成する内側出入り部（１５１）形成段階；
少なくとも二つ以上の前記内側出入り部（１５１）が形成された前記中間シート（１５）と前記第２シート（２０）を、外郭の縁線が一致するように相互重ねた後、前記二つ以上の内側出入り部（１５１）をそれぞれ一つずつ含む領域を分割する構造に前記第２シート（２０）と前記中間シート（１５）を接合する内部ポケット分割線（２００）を形成する内部ポケット分割段階；
前記内部ポケット分割段階が終了した後、外郭の縁線が一致するように前記第１シート（１０）、前記中間シート（１５）、前記第２シート（２０）を相互重ねておき、前記中間シート（１５）と前記第２シート（２０）の外郭線に連なって重なった縁の全区間を縫付けする縁縫付け段階；を含んで構成されたことを特徴とする、複数の内部ポケットを備えた下衣ポケット用袋の製造方法。
【請求項５】
前記中間シート（１５）の前記内側出入り部（１５１）は、前記中間シート（１５）面上の一地点から縁まで延長されたスロット形態に形成されたことを特徴とする、請求項４に記載の複数の内部ポケットを備えた下衣ポケット用袋の製造方法。
【発明の詳細な説明】
【技術分野】
【０００１】
本発明は、ズボンやスカート等の下衣ポケットの一構成部分をなす下衣ポケット用袋に関するもので、より詳しくは、下衣ポケット開口部の内側面に縫付け等の方式で接合されることによりポケット開口部を通じて入れられた各種物品が収容されることができるように形成された下衣ポケット用袋に関するものである。
【背景技術】
【０００２】
人が着用する衣服の大部分には、寒いときに手などの身体の一部を入れて防寒の用途に使用したり物品を収納するための目的等で形成されたポケットが備えられるのが一般的である。
【０００３】
このようなポケットは、通常衣服の外側に形成された開口部と、前記開口部を通じて挿入された各種物品が収納されることができるように、衣服の内側に位置し、袋の形態で一定空間を備えた袋を含んで構成されるが、前記開口部の場合、衣服の外布を一定の長さに切開した形態からなり、前記袋の場合、前記開口部の内側面の縁に沿って相互接合された出入り部を備えた袋の形態からなるのが一般的である。
【０００４】
このような従来の下衣ポケットの典型的な例が図７及び図８に図示されている。図７に図示されたように、ズボン等の衣服の内側に位置するようになる袋部分は、通常二枚の布地、すなわち第１シート１０と第２シート２０の縁が縫付けによる縫付線５０によって相互接合されて袋形態の密閉空間をなし、この時、開放された主出入り部３０を備えるために、該当部分には縫付線５０が形成されないように構成されることができる。
【０００５】
このように形成されたポケットは、図８に図示されたような形態でズボン等の下衣の内側に接合されるが、該当図面でズボンの内側に位置する前記ポケットは点線で図示される。
【０００６】
すなわち、前記ポケットの主出入り部３０は、外部で下衣の外側面に形成された開口部１００を経由して接近が可能なように、前記開口部１００の内側縁に沿って縫付け等の方式によって相互接合され、これによって袋はズボンの内側面に固定されると同時に、前記開口部１００を通じて外部から袋内部に各種物品等を収納することができる構造になる。
【０００７】
しかし、図７と図８に図示された従来の構造どおりに下衣ポケットが形成される場合、物品の収納機能と係わって収納された物品の高い紛失危険性という深刻な短所が存在してきた。
【０００８】
このような問題は、下衣の着用者が立った姿勢や歩く姿勢の場合には発生する可能性が高くないが、例えば、座ったり横になる姿勢になることにより下衣の着用者の上腿が地面と水平に近く置かれるようになる場合、出入り部３０の一端部から延長された袋の側面の縁部もまた床面と水平に近い方向になるため、袋内部の物品が前記袋の側面の縁部に沿って動きポケット開口部１００を通じて外側に抜け出しやすい状態になるため、ポケット内部の袋に入れておいた重要な物品が知らぬ間に抜け出して紛失になる場合が頻繁に発生するようになる。
【０００９】
前述の従来構造のポケットのまた他の問題点は、ポケットに収納しなければならない物品が複数個の場合、一つのポケット内に多数の物品を収納するのが空間的にも狭小なだけでなく、物品別の区分管理も難しいという点であるが、このような点を解消するために、尻側の下衣ポケットに物品を収納する場合があるが、尻側ポケット、一名後ポケットの開口部を通じて外側に財布等の物品が抜け出す危険性はさらに高いだけでなく、財布等の厚みのある物品を右側、あるいは左側のいずれか一方の後ポケットに収納したまま長時間座っていたりするようになれば、脊椎が曲がったり、骨盤がずれる等の深刻な身体障害要素が発生する危険性が高いという研究結果も発表されている実情である。
【００１０】
前述の問題点のうち、紛失危険性を下げるための試みとして、ポケットの開口部１００の上側にふたを結合する方式等が提案されているが、このような方式の場合、ふた等を結合するための製造作業工数、材料費の増加等の問題点があるだけでなく、ファッション商品としてデザインの重要度が高い衣服において一定構造を必須で付加しなければならない構成は、多様なデザインの変形、構成を阻害する問題点もまた抱えている。
【００１１】
一方、収納物品の分散管理の効率性を高めるための試みとして、図９に図示されたように、内部空間に別途の副ポケット３００が結合された構造のポケットを備えた下衣が開示されているが、ポケット内部空間の一部面積に結合される構造的限界によって、前記副ポケット３００の場合、内部空間を一定の大きさ以上に確保することが難しく、収納することができる物品の種類に限界があり、別途の副ポケット３００をつけるための製造作業工数の増加が必須であり、また前に説明した従来のポケットの問題点である紛失危険性と係わってはなんら改善的な部分がないという短所がある。
【００１２】
これにより、本発明の出願人は、収納物品の紛失危険性を大きく下げながらも、広い別途空間を備えたポケットを提供するために、韓国特許登録第６１４１４９号によってポケット内部の袋の構造のみを変形して袋の後側面の縁がズボン等の下衣の脇線後方へさらに延長された構造を有するようにする一方、ポケットの入口部を二重構造にすることにより、収納された物品の紛失を効果的に防止することができる「下衣ポケット」を開示したことがある。
【００１３】
前記発明の場合、従来の下衣の外観はそのまま維持したまま、内側に位置する袋の形態のみを変形させる構造を有することにより、多様な形態の下衣に制限なしに適用することができながらも、収納された物品の紛失を効果的に防止することができる劇的な効果がある。
【００１４】
ただ、従来の基本的なポケットの製造工程に比べて多少作業工数が増加する短所があったため、韓国特許登録第８７６１５１号によって、従来の下衣ポケットに比べて製造作業工数の増加がほとんどないながらも、ポケット内部に収納された物品が抜け出すことを効果的に防止するように構成された「下衣ポケット用袋」もまた開示したことがあり、これに該当する下衣ポケット用袋の一例が図１０に図示されている。
【００１５】
前述の下衣ポケット用袋についての特許は、前記第１シート１０と前記第２シート２０間に介在する、内側出入り部１５１が備えられた中間シート１５をさらに含み、前記第２シート２０と前記中間シート１５は同一形状、前記第１シート１０は前記第２シート２０等と同一の形状で一縁のみを切り取った形状で形成して、これらの外郭形状が一致するように順序通り重ねておいた後、外郭の縁に沿って縫付線５０を形成するだけで、紛失の危険性がない別途の内側空間を備えた下衣ポケット用袋を製造することができる技術的情報を提供することにより、従来の下衣ポケット用袋と比較して作業工数、作業難易度の増加がほとんどなく製造されながらも、物品の紛失を効果的に防止する別途の広い空間を備え、衣服の外部デザインにはほとんど影響を及ぼさないことにより、従来の多様な形態の下衣ポケットに幅広く適用されることができる構造の下衣ポケット用袋の製造を可能にした。
【００１６】
すなわち、前記のように構成された下衣ポケット用袋は、従来のポケット容積の二倍の容積を持ちながらも、前記中間シート１５と前記第２シート２０間に形成された内側空間に物品を保管する場合、前記内側出入り部１５１の構造的特性によって物品の紛失危険が端的に激減する利点を得ることができる。
【００１７】
ただ、内側空間を一つの連通空間で形成する場合、空間自体の大きさが従来の補助ポケットとは異なり相当に大きいという長所が、時には効率的な収納を多少難しくする側面を引き起こしたりもする。
【００１８】
すなわち、保管された小さな物品の場合、広い空間で位置が特定されないことにより、物品を探して手に取ったり取出す過程が多少煩わしいことがあり得、多数の物品を保管する場合、１ヶ所に集まって袋がふくらんでしまう等、効率的な空間管理が充分でないという点がある。
【発明の概要】
【発明が解決しようとする課題】
【００１９】
前述の従来技術の問題点を克服するために、本発明は、従来のポケットに比べて製造作業工数の増加がほとんどなく、ポケット内部に収納された物品が抜け出すことを効果的に防止すると同時に、ポケット内部に形成された内側空間の収納容積と空間活用可能性を極大化し、収納された物品を収納したり取り出す行為もまたより容易な形態で構成され、ポケットの内側空間内で物品の分離収納が可能で、収納された物品が１ヶ所に重なって袋が外部にふくらんでしまうこと等による外的美観及び活動性が阻害されることを防止することができる内部ポケットを備えた下衣ポケット用袋を提供することを目的とする。
【課題を解決するための手段】
【００２０】
前述の目的を達成するために、本発明による複数の内部ポケットを備えた下衣ポケット用袋は、一部区間を除いた全体区間にわたって縁が相互接合された第１シート及び第２シートを含んで構成されて、接合されない前記一部区間が主出入り部をなす一方、前記主出入り部の縁がズボン、スカート等の下衣ポケットの開口部の内側面に接合されることにより、全体として着用者の手を入れたり、各種物品を収納することができる形態の下衣ポケットをなす下衣ポケット用袋において、前記第１シート及び第２シートの間に介在して前記第２シートと縁の全区間が相互接合され、接合で形成された内部空間への出入りが可能なように両面を貫通する貫通孔形態の内側出入り部が少なくとも二つ以上備えられた中間シートをさらに含んで構成され、前記二つ以上の内側出入り部をそれぞれ一つずつ含む領域を分割する構造に前記第２シートと前記中間シートを接合する内部ポケット分割線を備え、前記第１シートは、前記主出入り部を形成するために一部区間を除いた縁が前記中間シートに接合されたことを特徴として構成される。
【００２１】
この時、前記中間シートの前記内側出入り部は、前記中間シート面上の一地点から縁まで延長されたスロット形態に形成されることができる。
【００２２】
この時、前記中間シート及び前記第２シートは相互同一の形態のシートからなる一方、前記第１シートは前記中間シート及び前記第２シートと同一の形態のシートで縁の一部分が切り取られた形態を有し、前記第２シートと前記中間シート、前記中間シートと前記第１シートの縁を相互接合する接合線は、形態が一致するように前記第１シート、前記中間シート及び前記第２シートが重なった状態で前記中間シート及び前記第２シートの外郭の縁の全区間を接合する縫付け線からなることができる。
【００２３】
本発明による複数の内部ポケットを備えた下衣ポケット用袋の製造方法は、同一の形態の第２シート、中間シート、及び、前記第２シート、前記中間シートと同一の形態で縁の一部分が切り取られた形態の第１シートを準備するシート準備段階、前記中間シートに両面を貫通する少なくとも二つ以上の貫通孔形態の内側出入り部を形成する内側出入り部形成段階と、少なくとも二つ以上の前記内側出入り部が形成された前記中間シートと前記第２シートを、外郭の縁線が一致するように相互重ねた後、前記二つ以上の内側出入り部をそれぞれ一つずつ含む領域を分割する構造に前記第２シートと前記中間シートを接合する内部ポケット分割線を形成させる内部ポケット分割段階、前記内部ポケット分割段階が終了した後、外郭の縁線が一致するように前記第１シート、前記中間シート、前記第２シートを相互重ねておき、前記中間シートと前記第２シートの外郭線に連なって重なった縁の全区間を縫付けする縁縫付け段階を含んで構成されることができる。
【００２４】
この時、前記中間シートの前記内側出入り部は、前記中間シート面上の一地点から縁まで延長されたスロット形態に形成されることができる。
【発明の効果】
【００２５】
前記の構成によって、本発明による複数の内部ポケットを備えた下衣ポケット用袋は次のような効果を有する。
【００２６】
第一に、従来の下衣ポケット用袋に比べて製造作業工数の増加、作業難易度の増加がほとんどなく収納容積を極大化しながらもポケット内部に収納された物品が抜け出すことを効果的に防止すると同時に、一つのポケット内部に少なくとも二つ以上の独立した別途の内部ポケット空間を備えてそれぞれの収納空間の活用がより容易なように構成された複数の内部ポケットを備えた下衣ポケット用袋を提供することができる。
【００２７】
第二に、少なくとも二つ以上の内部ポケットを構成することにより、収納される物品が互いに重ならず、物品の収納時、服の着こなし及び活動性の阻害を防止し、収納された物品を手に取ったり取り出す作業がより容易な構造の複数の内部ポケットを備えた下衣ポケット用袋を提供することができる。
【図面の簡単な説明】
【００２８】
【図１】本発明の望ましい実施例による複数の内部ポケットを備えた下衣ポケット用袋の第１シートを図示した図面。
【図２】本発明の望ましい実施例による複数の内部ポケットを備えた下衣ポケット用袋の中間シートを図示した図面。
【図３】本発明の望ましい実施例による複数の内部ポケットを備えた下衣ポケット用袋の第２シートを図示した図面。
【図４】本発明の望ましい実施例による複数の内部ポケットを備えた下衣ポケット用袋を構成する第２シートと中間シートの内部ポケット分割線による接合関係を示した分解斜視図。
【図５】本発明の望ましい実施例による複数の内部ポケットを備えた下衣ポケット用袋を構成するそれぞれのシートの接合関係を示した分解斜視図。
【図６】本発明の望ましい実施例による複数の内部ポケットを備えた下衣ポケット用袋の全体形状を示した透視図。
【図７】従来技術による下衣ポケット用袋の斜視図。
【図８】図７の下衣ポケット用袋が適用された下衣を図示した図面。
【図９】副ポケットを備えた下衣ポケット用袋が適用された下衣を図示した図面。
【図１０】また他の従来技術による下衣ポケット用袋を構成するそれぞれのシートの配置関係を示した分解斜視図。
【発明を実施するための形態】
【００２９】
本発明による複数の内部ポケットを備えた下衣ポケット用袋は、一部区間を除いた全体区間にわたって縁が相互接合された第１シート及び第２シートを含んで構成されて、接合されない前記一部区間が主出入り部をなす一方、前記主出入り部の縁がズボン、スカート等の下衣ポケットの開口部の内側面に接合されることにより、全体として着用者の手を入れたり、各種物品を収納することができる形態の下衣ポケットをなす下衣ポケット用袋において、前記第１シート及び第２シートの間に介在して前記第２シートと縁の全区間が相互接合され、接合で形成された内部空間への出入りが可能なように両面を貫通する貫通孔形態の内側出入り部が少なくとも二つ以上備えられた中間シートをさらに含んで構成され、前記二つ以上の内側出入り部をそれぞれ一つずつ含む領域を分割する構造に前記第２シートと前記中間シートを接合する内部ポケット分割線を備え、前記第１シートは、前記主出入り部を形成するために一部区間を除いた縁が前記中間シートに接合されたことを特徴として構成される。
【００３０】
以下、前記の本発明の構成を、本発明の望ましい実施例が図示された添付図面を参照してより詳しく説明する。
【００３１】
この時、理解の便宜のために先に言及した従来技術でと同一、類似の機能をする構成部分については、同一参照番号を付与して説明するようにする。
【００３２】
図１ないし図３は、本発明の望ましい実施例による複数の内部ポケットを備えた下衣ポケット用袋を構成する第１シート１０、及び、中間シート１５、第２シート２０をそれぞれ図示した図面である。
【００３３】
本発明による複数の内部ポケットを備えた下衣ポケット用袋もまた、袋の外郭シートとなる第１シート１０及び第２シート２０を備え、第１シート１０と第２シート２０の間に介在して、第２シート２０と縁の全区間が相互接合される中間シート１５を含む。
【００３４】
この時、本実施例による第１シート１０は、図１に図示されたように、従来の下衣ポケットに適用が容易な基本的形態に合わせて、全体的に四角形に形成されると同時に、袋上端の頂点のうち一端部が斜線に切り取りされることにより、後述する第２シート２０と中間シート１５の四角形形態で縁の一部分が切り取られた形態を有する。このような形態的特性によって、全てのシートを重ねておいた後、縁に沿って縫付け作業を遂行する場合、縫付け線で接合されない切り取り部分が主出入り部３０を構成することができるように形成されることができる。
【００３５】
一方、図２の中間シート１５と図３の第２シート２０の縁の全区間を相互接合する時、中間シート１５と第２シート２０の間に密閉された内部空間が形成されるが、前記密閉された内部空間に出入りすることができるように、中間シート１５の面上には図２に図示されたように両面を貫通する貫通孔形態に形成される前記内側出入り部１５１が二つ以上備えられる。
【００３６】
この時、前述の二つ以上の内側出入り部１５１は、本発明の目的のための特殊な構成であるが、後述するまた他の特徴的な構成の付加によって中間シート１５と第２シート２０の間の内部空間を二つ以上に区分する特徴的な構成が導出されることができる。
【００３７】
前述の構成は、第２シート２０と中間シート１５を独特の位置で接合すると同時に、内部空間の領域を二つ以上に区分する接合構造によってなり、このような接合関係を図４を参照して説明することにする。
【００３８】
図４の内部ポケット分割線２００は、第２シート２０と中間シート１５の間の内部空間を分割するために形成されるが、より正確には、中間シート１５と第２シート２０の縁の全区間の接合時、中間シート１５に備えられた少なくとも二つ以上の内側出入り部１５１をそれぞれ一つずつ含む内部ポケットの複数領域を相互区分するための目的で形成される。
【００３９】
前述の構成をなすために、内部ポケット分割線２００は、中間シート１５と第２シート２０の面上の相互同一の位置の縁の一地点から、反対側の縁の一地点まで延長された形態をなし、それぞれの内側出入り部１５１の間を横切る構造で形成されることにより、第２シート２０と中間シート１５の縁の全区間と、内部ポケット分割線２００を縫付け等の方法で相互接合する時、内部ポケット分割線２００を境界として、第２シート２０と中間シート１５の間に二つの出入り可能な内部ポケットが形成される。
【００４０】
しかし、第２シート２０と中間シート１５の相互接合される縁の全区間は、第１シート１０との接合区間ともほとんど一致するので、製造作業工程を単純化するために、第２シート２０と中間シート１５には内部ポケット分割線２００のみをまず形成した後、外郭縫付け線は図５を参照して後述するように第１シート１０を重ねておいた後に一度で形成することが望ましい。
【００４１】
二つの内側出入り部１５１は、それぞれの内部ポケット内に収納された物品が容易に抜け出すことを防止し、入口の面積を大きくして物品の出入りは容易なように、中間シートの面上の一地点から縁まで延長された長いスロット形態に形成されることが望ましい。
【００４２】
また、図示されたようにポケットの開口部１００に近く位置する図面上の上部の内側出入り部１５１は、中間シート１５上端面の縁の一地点から対角線に中間シート１５を横切るように構成し、ポケットの中深くに位置する下部の内側出入り部１５１は水平に形成されるように構成して、使用者の手が出入りする角度に一致させることにより、物品を取り出したり収納する行為が容易なように構成されることもできるが、このような構成は、分割された内部ポケットの数、位置に応じて適切に変形されることができるものである。
【００４３】
図５は、図４によって説明された中間シート１５と第２シート２０の接合構造の上方に第１シートを外郭の縁の形態に合わせて重ねておく状態を図示した分解斜視図である。
【００４４】
前述したような構成によって内部ポケット分割線２００によって領域を区分するための中間地点が相互接合された中間シート１５と第２シート２０の図面上の上方へ、第１シート１０と第２シート２０の間に中間シート１５が介在する構造になるように、それぞれのシートの外郭の縁の形態が一致するように重ねておくようになれば、第１シート１０の切り取られた部分を除いた残りの部分の縁が相互一致するようになる。
【００４５】
この状態で中間シート１５及び第２シート２０の外郭の縁に連なって全区間を接合する縫付け作業を遂行するようになれば、二枚のシートのみで構成された通常のポケット袋の製造作業と同じく、ただ一度の縫付け作業のみで二つの内部空間と一つの通常的空間を備えたポケット用袋が完成するのである。
【００４６】
すなわち、ポケット袋の完成した状態を示すために袋内部のポケット分割線２００と内側出入り部１５１を点線で表示してそれぞれの位置関係を示した完成したポケット袋の透視図である図６から分かるように、中間シート１５と第２シートの間にはそれぞれ一つずつの内側出入り部１５１を備えた、紛失危険性が最小化された二つの内部ポケットが形成され、その外側には第１シート１０と中間シート１５の間に形成される一般的ポケット袋空間が形成されるが、この全ての有用な空間の形成が従来の一般的ポケット製造工程で大きい変化なしでもなされることができるという点は、本発明の隠れた大きな利点でもあるのである。
【００４７】
したがって、以下では前述の構造の複数の内部ポケットを備えた下衣ポケット用袋を製造するための最適化された工程を簡略に説明する。
【００４８】
最も先に、シート準備段階として、同一の形態の第２シート２０、中間シート１５及び、第２シート２０、中間シート１５と同一の形態から縁の一部分が切り取られた形態の第１シート１０を準備する。
【００４９】
次は、内側出入り部形成段階として、前記中間シート１５に両面を貫通する少なくとも二つ以上の貫通孔形態の内側出入り部１５１を形成する段階であり、大きい範疇で中間シート１５の準備段階に含まれる。
【００５０】
次は、内部ポケット分割段階として、二つ以上の前記内側出入り部１５１が形成された中間シート１５と第２シート２０を外郭の縁線が一致するように相互重ねた後、内側出入り部をそれぞれ一つずつ含む領域を分割する構造に第２シート２０と中間シート１５を接合する内部ポケット分割線２００を形成させる。この時、内部ポケット分割線２００は、前述のように縫付け作業によって容易に遂行されることができる。
【００５１】
最後に、縁縫付け段階として、内部ポケット分割段階によって領域分割と一部接合がなされた中間シート１５と第２シート２０の上方へ外郭の縁線が一致するように第１シート１０を重ねておき、中間シート１５と第２シート２０の外郭線に連なって重なった縁の全区間を縫付けする過程からなる。
【００５２】
先に段階別に説明した製造方法からも分かるように、本発明によるポケット袋は従来のポケット袋に比べて非常に有用で複雑な構造を備えているにもかかわらず、従来のポケット製造工程と比較して差がある部分は中間シート１５を準備する段階、中間シート１５と第２シート２０を分割、接合する段階に限り、残りの段階は一般的なポケット袋製造工程とほとんど一致する。
【産業上の利用可能性】
【００５３】
したがって、このような点は、一般的なポケット袋の製造工程にほとんど変化を与えなくとも本発明によるポケット用袋が既に設備された製造ラインに適用して生産することが容易であるということを意味するものとして、生産者の経済的な側面でも大きな利点になることができる。
【００５４】
以上の通り、本発明を望ましい実施例による図面によって説明したが、本発明は図示されて説明された実施例による構成及び作用に限定されるものではない。むしろ添付された特許請求の範囲の思想及び範疇を逸脱することなく本発明についての多数の変更及び修正が可能であることを当業者は理解することができるであろう。したがって、そのような全ての適切な変更及び修正と均等物も本発明の範囲に属するものとみなされなければならないものである。
【図１】
0005870462.tif 000002
【図２】
0005870462.tif 000003
【図３】
0005870462.tif 000004
【図４】
0005870462.tif 000005
【図５】
0005870462.tif 000006
【図６】
0005870462.tif 000007
【図７】
0005870462.tif 000008
【図８】
0005870462.tif 000009
【図９】
0005870462.tif 000010
【図１０】
0005870462.tif 000011